(57)【要約】【課題】潜熱を回収して熱交換する高効率の熱源装置に関し、潜熱回収による高効率化とともに、ドレン抑制を図ることにある。【解決手段】蓄積されるドレン（１６、１１８）のレベルを監視し、そのレベルが基準レベル（Ｌref ）未満であれば、燃焼排気（１０、１０９）の下流側の熱を用いて熱交換する２次熱交換を先行させ、そのレベルが基準レベル以上であれば、燃焼排気の上流側の熱を用いて熱交換する１次熱交換を先行させることにより、ドレンの蓄積レベルに応じてドレンの発生を許容又は抑制し、以て蓄積レベルを抑制する。【選択図】図２
2010249395.tif 000002
【特許請求の範囲】
【請求項１】
燃焼排気の上流側の熱を被加熱流体に熱交換する第１の熱交換手段と、
前記燃焼排気の下流側の熱を前記被加熱流体に熱交換する第２の熱交換手段と、
熱交換によって生じるドレンを蓄積する蓄積手段と、
前記蓄積手段の前記ドレンのレベルが基準レベル未満の場合には、前記被加熱流体を前記第２の熱交換手段で熱交換した後、前記第１の熱交換手段に流して熱交換させ、前記蓄積手段の前記ドレンのレベルが基準レベル以上の場合には、前記被加熱流体を前記第１の熱交換手段で熱交換した後、前記第２の熱交換手段に流して熱交換させる流路切替手段と、
を備えることを特徴とする熱源装置。
【請求項２】
前記第１の熱交換手段は前記燃焼排気の顕熱を熱交換する一次熱交換器、前記第２の熱交換手段は前記燃焼排気の潜熱まで熱交換する二次熱交換器であることを特徴とする請求項１記載の熱源装置。
【請求項３】
前記蓄積手段に蓄積されるドレンのレベルを検出するレベル検出手段と、
前記レベル検出手段の検出出力により前記流路切替手段を切り替える制御手段と、
を備える請求項１記載の熱源装置。
【請求項４】
前記蓄積手段に蓄積されたドレンのレベルが基準レベル以上に到達した場合、その報知情報を発する報知手段を備えることを特徴とする請求項１又は３記載の熱源装置。
【請求項５】
浴槽から浴槽水を循環させて追い焚きする追焚循環路を備え、
前記ドレンのレベルが基準レベル以上に到達した場合、前記追焚循環路を通して前記浴槽に前記ドレンを排出させることを特徴とする請求項１記載の熱源装置。
【請求項６】
燃焼排気の上流側の熱を被加熱流体に熱交換する第１の熱交換手段と、前記燃焼排気の下流側の熱を前記被加熱流体に熱交換する第２の熱交換手段と、熱交換によって生じるドレンを蓄積する蓄積手段とを備える熱源装置のドレン抑制方法であって、
前記蓄積手段の前記ドレンのレベルが基準レベル未満の場合には、前記被加熱流体を前記第２の熱交換手段で熱交換した後、前記第１の熱交換手段に流して熱交換するステップと、
前記蓄積手段の前記ドレンのレベルが基準レベル以上に到達した際に、流路を切り替えて前記被加熱流体を前記第１の熱交換手段で熱交換した後、前記第２の熱交換手段に流して熱交換するステップと、
を含むことを特徴とする熱源装置のドレン抑制方法。
【発明の詳細な説明】
【技術分野】
【０００１】
本発明は、熱交換の高効率化とドレン抑制に関し、例えば、給湯装置や、浴槽水の追い焚き機能を含む給湯・追焚装置等に用いられる熱源装置及びそのドレン抑制方法に関する。
【背景技術】
【０００２】
燃焼排気から潜熱を回収する熱交換器を持つ高効率の熱源装置では、ドレン発生を回避することができない。このドレン発生に関し、ドレン発生限界のデータに基づき、該データと比較して熱交換器における結露発生の可能性を判断し、その判断結果に応じて上段の管体部から下段の管体部に流れる水の経路の一部を切り替えてドレン発生を抑制することが知られている（例えば、特許文献１）。
【０００３】
また、ドレン発生が著しい潜熱回収用の熱交換器側に対する通水量を減らすことによってドレンの発生を抑制することが知られている（例えば、特許文献２）。
【先行技術文献】
【特許文献】
【０００４】
【特許文献１】特開２００６−２０７９０１号公報
【特許文献２】特開２００８−１７００９５号公報
【発明の概要】
【発明が解決しようとする課題】
【０００５】
ところで、ドレン発生限界のデータに基づいてドレンを抑制する制御では（特許文献１）、熱交換時におけるドレンの発生条件は不確かなことがあり、この条件を確実に把握してドレン発生を抑制することは困難である。そのため、ドレンの発生条件が得られても、ドレン抑制運転に移行されないことがあり、また、ドレンを抑制できないという問題がある。
【０００６】
また、潜熱回収側の熱交換器への通水量を減らしたとしても（特許文献２）、ドレン発生を皆無にすることはできず、ドレンの発生が継続され、ドレンが蓄積されることになる。
【０００７】
そこで、本発明の目的は、潜熱を回収して熱交換する高効率の熱源装置に関し、潜熱回収による高効率化とともに、ドレン抑制を図ることにある。
【課題を解決するための手段】
【０００８】
斯かる課題を解決するため、本発明は、蓄積されるドレンのレベルを監視し、そのレベルが基準レベル未満であれば、燃焼排気の下流側の熱を用いて熱交換する二次熱交換を先行させ、そのレベルが基準レベル以上であれば、燃焼排気の上流側の熱を用いて熱交換する一次熱交換を先行させることにより、ドレンの蓄積レベルに応じてドレンの発生を許容又は抑制し、以て蓄積レベルを抑制する。
【０００９】
そこで、上記課題を解決するため、本発明の第１の側面は、熱源装置であって、燃焼排気の上流側の熱を被加熱流体に熱交換する第１の熱交換手段と、前記燃焼排気の下流側の熱を前記被加熱流体に熱交換する第２の熱交換手段と、熱交換によって生じるドレンを蓄積する蓄積手段と、前記蓄積手段の前記ドレンのレベルが基準レベル未満の場合には、前記被加熱流体を前記第２の熱交換手段で熱交換した後、前記第１の熱交換手段に流して熱交換させ、前記蓄積手段の前記ドレンのレベルが基準レベル以上の場合には、前記被加熱流体を前記第１の熱交換手段で熱交換した後、前記第２の熱交換手段に流して熱交換させる流路切替手段とを備えることである。
【００１０】
この熱源装置において、前記第１の熱交換手段は前記燃焼排気の顕熱を熱交換する一次熱交換器、前記第２の熱交換手段は前記燃焼排気の潜熱まで熱交換する二次熱交換器である構成としてもよい。
【００１１】
この熱源装置において、前記蓄積手段に蓄積されるドレンのレベルを検出するレベル検出手段と、前記レベル検出手段の検出出力により前記流路切替手段を切り替える制御手段とを備える構成としてもよい。
【００１２】
この熱源装置において、前記蓄積手段に蓄積されたドレンのレベルが基準レベル以上に到達した場合、その報知情報を発する報知手段を備えてもよい。
【００１３】
この熱源装置において、浴槽から浴槽水を循環させて追い焚きする追焚循環路を備え、前記ドレンのレベルが基準レベル以上に到達した場合、前記追焚循環路を通して前記浴槽に前記ドレンを排出させる構成としてもよい。
【００１４】
また、本発明の第２の側面は、燃焼排気の上流側の熱を被加熱流体に熱交換する第１の熱交換手段と、前記燃焼排気の下流側の熱を前記被加熱流体に熱交換する第２の熱交換手段と、熱交換によって生じるドレンを蓄積する蓄積手段とを備える熱源装置のドレン抑制方法であって、前記蓄積手段の前記ドレンのレベルが基準レベル未満の場合には、前記被加熱流体を前記第２の熱交換手段で熱交換した後、前記第１の熱交換手段に流して熱交換するステップと、前記蓄積手段の前記ドレンのレベルが基準レベル以上に到達した際に、流路を切り替えて前記被加熱流体を前記第１の熱交換手段で熱交換した後、前記第２の熱交換手段に流して熱交換するステップとを含むことである。
【発明の効果】
【００１５】
本発明によれば、次の効果が得られる。
【００１６】
(1) 燃焼排気の潜熱と顕熱とを熱交換に用いる高効率熱源装置において、蓄積されたドレンが基準レベル以上である場合には、ドレンの発生を抑制できる。
【００１７】
(2) 蓄積されたドレンのレベルを監視し、そのドレンレベルを任意に設定してドレン抑制運転に切り替えることができる。
【００１８】
(3) ドレンの発生を抑制することにより、蓄積手段が蓄積限界に達するまでの時間を延ばすことができる。
【００１９】
(4) ドレンの発生を抑制する状況であっても、ドレン抑制運転に切り替えることで、熱源装置の運転を停止することなく継続させることができる。
【図面の簡単な説明】
【００２０】
【図１】第１の実施の形態に係る高効率給湯器のコンデンシング運転を示す図である。
【図２】高効率給湯器の非コンデンシング運転を示す図である。
【図３】第２の実施の形態に係る高効率給湯器のコンデンシング運転を示す図である。
【図４】高効率給湯器の非コンデンシング運転を示す図である。
【図５】第３の実施の形態に係る給湯・追焚装置のコンデンシング運転を示す図である。
【図６】非コンデンシング運転の給湯・追焚装置を示す図である。
【図７】ドレンタンクを示す図である。
【図８】制御装置及びリモコン装置を示す図である。
【図９】台所リモコン装置の一例を示す図である。
【図１０】浴室リモコン装置の一例を示す図である。
【図１１】給湯・追焚装置の動作の処理手順を示すフローチャートである。
【図１２】給湯・追焚装置の浴槽の排水を促す報知処理及びドレン排出処理の処理手順を示すフローチャートである。
【図１３】給湯・追焚装置の配管洗浄処理の処理手順を示すフローチャートである。
【図１４】ふろ配管洗浄のタイムチャートである。
【図１５】給湯制御の処理手順を示すフローチャートである。
【図１６】ドレン抑制制御の処理手順を示すフローチャートである。
【図１７】ドレン抑制制御解除の処理手順を示すフローチャートである。
【図１８】第４の実施の形態に係る給湯・追焚装置のコンデンシング運転を示す図である。
【図１９】非コンデンシング運転の給湯・追焚装置を示す図である。
【発明を実施するための形態】
【００２１】
〔第１の実施の形態〕
【００２２】
第１の実施の形態は、熱源装置及びそのドレン抑制方法に関し、蓄積されるドレンのレベルが基準レベル未満であれば、燃焼排気の下流側の熱を用いて熱交換する二次熱交換を先行させてドレン発生を許容し、そのレベルが基準レベル以上であれば、燃焼排気の上流側の熱を用いて熱交換する一次熱交換を先行させてドレンの発生を抑制する。
【００２３】
この第１の実施の形態について、図１及び図２を参照する。図１は、第１の実施の形態に係る高効率給湯器であって、コンデンシング運転を示す図、図２は、高効率給湯器の非コンデンシング運転を示す図である。図１及び図２に示す構成は一例であって、斯かる構成に本発明が限定されるものではない。
【００２４】
この高効率給湯器２は、熱源装置及びそのドレン抑制方法の一例であって、都市ガスやプロパンガス等の燃料ガスの燃焼排気の熱を上水Ｗに熱交換し、温水ＨＷとして給湯する。燃料ガスは、気体燃料でもよく、石油等の液体燃料を気化したものであってもよい。
【００２５】
燃焼室４には、熱源としてバーナ６が設置され、このバーナ６は、燃料ガスＧを燃焼させる燃焼手段の一例である。燃焼室４には給気８として燃焼用の空気が取り込まれ、バーナ６から生じた燃焼排気１０が上方に流れる。
【００２６】
燃焼室４には、第１の熱交換手段として熱交換器１２と、第２の熱交換手段として熱交換器１４と、ドレン１６を集水するドレン受け１８とが設置されている。
【００２７】
熱交換器１２は、燃焼排気１０の上流側に設置され、上流側の燃焼排気１０の熱を上水Ｗに熱交換する機能を備える熱交換手段の一例であり、また、熱交換器１４は、燃焼排気１０の下流側に設置され、下流側の燃焼排気１０の熱を上水Ｗに熱交換する機能を備える熱交換手段の一例である。上水Ｗは、被加熱流体の一例であって、水等の液体、気体の何れであってもよく、液体の場合、上水の他、浴槽水、暖房用熱媒等であってもよい。熱交換器１４で熱交換された後の燃焼排気１０は外気に放出される。
【００２８】
熱交換器１２、１４には上水Ｗ又は温水ＨＷを流す流路として管路２０が接続され、この管路２０には流路切替手段として切替弁２２、２４、２６、２８が設置されている。この場合、切替弁２２、２４、２６、２８は三方弁で構成されている。
【００２９】
そこで、コンデンシング運転では、図１に示すように、切替弁２２、２４、２６、２８をａ−ｂポート側に切り替えて管路２０を構成し、上水Ｗが管路２０を通じて熱交換器１４に導かれて熱交換された後、熱交換器１２に導かれて熱交換される。このコンデンシング運転では、熱交換器１２が燃焼排気１０の顕熱を熱交換する一次熱交換器、熱交換器１４が燃焼排気１０の潜熱まで熱交換する二次熱交換器を構成する。そこで、上水Ｗは熱交換器１４で下流側の燃焼排気１０から主として潜熱の熱交換により加熱された後、熱交換器１２で上流側の燃焼排気１０から主として顕熱の熱交換により加熱され、温水ＨＷとして給湯される。温水ＨＷは、バイパス回路３０を通じて上水Ｗを混合することにより、所望の温度に調整することが可能である。
【００３０】
この場合、コンデンシング運転では、熱交換器１４にドレン１６が発生する。このドレン１６はドレン受け１８に溜められ、このドレン受け１８は、燃焼室４の内部に設置されてドレン１６を捕集し、そのドレン１６を一時的に溜める貯留手段である。このドレン１６は、ドレン受け１８からドレン管路３４を通してドレンタンク３２に導かれて溜められる。ドレンタンク３２は、ドレン１６を溜めるドレン蓄積機能を備える蓄積手段であって、このドレンタンク３２の前段にはドレン１６を中和する中和手段を設置し、中和してもよい。
【００３１】
ドレンタンク３２のドレン１６のレベルを監視し、そのレベルが基準レベルＬref に到達したか否かを判定する。ドレン１６のレベルが基準レベルＬref 未満であれば、図１に示すように、通常運転状態を維持し、そのレベルが基準レベルＬref 以上になれば、非コンデンシング運転（ドレン抑制運転）に切り替える。
【００３２】
このドレン抑制運転では、図２に示すように、切替弁２２をａ−ｃポート側、切替弁２４をｃ−ｂポート側、切替弁２６をａ−ｃポート側、切替弁２８をｃ−ｂポート側に切り替えて管路２０を構成し、上水Ｗが管路２０を通じて熱交換器１２に導かれて熱交換された後、熱交換器１４に導かれて熱交換される。このドレン抑制運転状態では、上水Ｗは熱交換器１２で上流側の燃焼排気１０の熱から主として顕熱の熱交換により高温に加熱された後、熱交換器１４で下流側の燃焼排気１０の熱の熱交換により加熱され、温水ＨＷとして給湯される。温水ＨＷは、バイパス回路３０を通じて上水Ｗを混合することにより、所望の温度に調整することが可能である。
【００３３】
このドレン抑制運転の場合、熱交換器１２が燃焼排気１０の顕熱を熱交換する一次熱交換器であるとともに、温水ＨＷを熱交換する熱交換器１４は燃焼排気１０の顕熱を熱交換する一次熱交換器である。即ち、熱交換器１４は下流側の燃焼排気１０を熱交換しても、循環する被加熱流体が高温化した温水ＨＷであるため、潜熱の熱交換は行われず、二次熱交換器とはならない。このため、通常運転状態より大幅にドレンが抑制される。
【００３４】
斯かる構成において、コンデンシング運転、非コンデンシング運転の何れの場合も、出湯側の熱交換器１２（図１）又は熱交換器１４（図２）の出側に温度センサ３６を設置して出湯温度を検出し、その検出温度によって上水Ｗのミキシング量、燃焼制御又は給水量の調整によって出湯温制御を行えばよい。
【００３５】
この実施の形態では、流路切替手段として４個の切替弁２２、２４、２６、２８を備えればよく、管路２０の構成は単純であるから、回路的にも、スペース的にも、コスト的にも有利である。
【００３６】
また、高効率給湯器２では、使用形態を変更できるというバリエーションの拡大とともに、ドレンの発生量を制御できる高効率給湯器を実現でき、ドレン配管の簡素化等、既設の給湯器の取替えが容易であるとともに、発生したドレン１６を浴槽等に流す場合、ドレン排出のタイミングの自由度を高めることができる。
【００３７】
〔第２の実施の形態〕
【００３８】
第１の実施の形態では熱交換器１２、１４の上水Ｗの流れがコンデンシング運転と非コンデンシング運転とで同一方向であるのに対し、第２の実施の形態は熱交換器１２、１４の上水Ｗの流れをコンデンシング運転と非コンデンシング運転とで流れ方向を反対方向に設定したものである。
【００３９】
この第２の実施の形態について、図３及び図４を参照する。図３は、第２の実施の形態に係る高効率給湯器であって、コンデンシング運転を示す図、図４は、高効率給湯器の非コンデンシング運転を示す図である。図３及び図４において、図１と同一部分には同一符号を付してある。
【００４０】
この実施の形態では熱交換器１２、１４に上水Ｗ又は温水ＨＷを流す流路として管路４０が接続され、この管路４０には流路切替手段として切替弁４２、４４が設置されている。この場合、切替弁４２、４４は三方弁で構成されている。
【００４１】
そこで、コンデンシング運転では、図３に示すように、切替弁４２、４４をａ−ｂポート側に切り替えて管路４０を構成し、上水Ｗが管路４０を通じて熱交換器１４に導かれて熱交換された後、熱交換器１２に導かれて熱交換される。
【００４２】
また、非コンデンシング運転では、図４に示すように、切替弁４２をｃ−ｂポート側、切替弁４４をｃ−ａポート側に切り替えて管路４０を構成し、上水Ｗが管路４０を通じて熱交換器１２に導かれて熱交換された後、熱交換器１４に導かれて熱交換される。その他の構成は同一であるので、説明を省略する。
【００４３】
斯かる構成によれば、熱交換器１２、１４に流れ込む上水Ｗの流れ方向が逆方向に設定されているが、切替弁４２、４４の設置数を低減できる利点があるとともに、第１の実施の形態と同様に、高効率運転とドレン抑制運転とを切り替えて使用できる利便性のよい熱源制御が行え、第１の実施の形態と同様の効果が得られる。
【００４４】
〔第３の実施の形態〕
【００４５】
本発明の第３の実施の形態について、図５及び図６を参照する。図５は、第３の実施の形態に係る給湯・追焚装置であって、コンデンシング運転を示す図、図６は、給湯・追焚装置の非コンデンシング運転を示す図である。
【００４６】
この給湯・追焚装置１０２は、熱源装置又はそのドレン抑制方法の一例であって、筐体１０４の内部に給湯用の熱交換を行う給湯用燃焼室１０６と、浴槽１０８内の浴槽水ＢＷを追焚きする追焚用燃焼室１１０とが備えられている。給湯用燃焼室１０６には、燃焼排気の上流側に設置された第１の熱交換手段として、燃焼排気１０９の主として顕熱を熱交換する熱交換器１１２と、燃焼排気の下流側に設置された第２の熱交換手段として、燃焼排気１０９の主として潜熱を熱交換する熱交換器１１４とが設置されている。追焚用燃焼室１１０には、燃焼排気１１１の主として顕熱を熱交換する追焚用熱交換器１１６が設置されている。これらの熱交換器は、同時運転又は単独運転の何れの運転形態でも運転が可能であり、一方の機能を他方で活用する機能として、給湯用の熱交換器１１２、１１４で加熱した湯ＨＷを浴槽１０８に湯張りすることが可能である。
【００４７】
熱交換器１１４には、燃焼排気１０９の潜熱を熱交換することにより、燃焼排気中の水蒸気が凝縮して、ドレン１１８が生じる。このドレン１１８はいわゆる不用水であり、水蒸気が凝縮したもの以外のものも含む。
【００４８】
給湯用燃焼室１０６には、熱交換器１１４に発生したドレン１１８を回収するドレン受け１２０が設置されている。また、給湯・追焚装置１０２には、強酸性のドレン１１８を中和する中和剤が入れられた中和器１２２、中和処理したドレン１１８を排出処理するまで溜めておくドレンタンク１２４が備えられている。ドレン受け１２０と中和器１２２とは、ドレン管路１２６で接続されている。
【００４９】
この給湯・追焚装置１０２には、上水Ｗを給湯用燃焼室１０６側に流入させる給水管路１２８が設置されており、その入口に設けられた給水口１３０から供給された上水Ｗは、その供給流量を測定する流量センサ１３２、上水Ｗの給水温度を測定する給水温度センサ１３４、流路を切り替える切替弁１２９、流路１３１、切替弁１３８を通過して熱交換器１１４に供給される。熱交換器１１４の出口側には、温度センサ１２３が設置されている。熱交換器１１４を通過した上水Ｗは、切替弁１３３を介して熱交換器１１２に流入し、熱交換された湯ＨＷは切替弁１３５を経て給湯口１４６に向かう。この切替弁１２９、１３８、１３３、１３５は、流路切替手段であるとともに、後述するドレン１１８の発生を制御するドレン制御手段を構成する。
【００５０】
これら切替弁１２９、１３８、１３３、１３５は１８０°回転して流路を切り替え、図５に示す回路では、コンデンシング運転流路、図６に示す回路では、非コンデンシング運転（ドレン抑制運転）流路を構成する。
【００５１】
コンデンシング運転では、上水Ｗは、まず熱交換器１１４で潜熱を回収し、次いで熱交換器１１２で顕熱を回収して給湯口１４６から出湯される。また、非コンデンシング運転では、熱交換器１１２で顕熱を回収し、温度が上がって露点温度以上である上水Ｗが熱交換器１１４で熱交換を行うため、潜熱は回収されない。つまり、ドレン１１８が発生しない状態となる。
【００５２】
また、給水管路１２８には、上水Ｗを分流させ、供給された上水Ｗの一部を熱交換器１１２からの湯ＨＷに合流させる一次バイパス管路１４０が接続されている。一次バイパス管路１４０には、上水Ｗの分流量を制御するバイパス水制御弁１４２が設置されている。このような構成により、給湯される湯ＨＷの設定温度に対する応答性を高めることが可能となる。
【００５３】
一次バイパス管路１４０からの上水Ｗと合流した湯ＨＷは、給湯管路１４４を通って給湯口１４６から出湯される。給湯管路１４４上には、熱交換器１１２で熱交換して一次バイパス管路１４０からの上水Ｗと合流する前の湯ＨＷの温度を測定する出湯温センサ１４８、合流した後の湯ＨＷの流量を制御する給湯制御弁１５０、合流した湯ＨＷの温度を測定する混合温センサ１５２が設置されている。さらに、給湯管路１４４には、給湯口１４６の手前で分岐され、浴槽１０８側に湯ＨＷを注湯する注湯手段であるとともに後述する配管洗浄手段である注湯管路１５４が接続されている。この注湯管路１５４には、注湯量の制御を行う注湯電磁弁１５６、注湯量を計測する注湯量センサ１５８、注湯管路１５４内で湯ＨＷが逆流するのを防止するための逆止弁１６０が設置されている。この注湯電磁弁１５６及び逆止弁１６０は、注湯側と浴槽１０８側とを縁切りする手段である。
【００５４】
次に、浴槽水ＢＷの追焚きについて説明する。給湯・追焚装置１０２の筐体１０４内部には、浴槽水ＢＷを追焚用燃焼室１１０に導いて追焚用熱交換器１１６で熱交換をさせ、再び浴槽１０８に流入させる追焚循環路１６２が設置されている。追焚循環路１６２と浴槽１０８との接続部分には循環アダプタ１６４が取り付けられており、浴槽水ＢＷを追焚循環路１６２に流入させ、又は浴槽１０８に流出させるコネクタの役割を果たしている。浴槽１０８には、浴槽水ＢＷ又は熱交換により発生したドレン１１８の排出を行う排水部１６６が設置されている。また、追焚循環路１６２には、浴槽水ＢＷを循環させる動力源であるふろポンプ１６８、浴槽水ＢＷの流量を検出するふろ流水スイッチ１７０、浴槽１０８から追焚循環路１６２に流入した浴槽水ＢＷの温度を測定するふろ入温度センサ１７２、追焚循環路１６２から浴槽１０８に流出させる浴槽水ＢＷの温度を測定するふろ出温度センサ１７４、浴槽水レベルセンサであるふろ水位センサ１７６が設置されている。また、追焚循環路１６２には既述の注湯管路１５４が接続されており、給湯側から浴槽１０８側に追焚循環路１６２を通して注湯することができる。
【００５５】
追焚循環路１６２には、流路を切り替える切替弁１７８が設置され、この切替弁１７８の一端には、ドレンタンク１２４からドレン１１８を追焚循環路１６２に導くドレン排出管路１８０が接続されている。このドレン排出管路１８０には、追焚循環路１６２側からドレンタンク１２４側にドレン１１８が逆流するのを防止する逆止弁１８１が設けられている。既述のドレン排出管路１８０、切替弁１７８、ふろポンプ１６８、追焚循環路１６２は、ドレン排出手段を構成する。
【００５６】
次に、ドレン排出処理について説明する。ふろ水位センサ１７６の検出結果により、浴槽１０８が排水状態であると制御装置１８２が判断すると、ドレン１１８の排出時期であるとして、切替弁１７８をドレン排出管路１８０側に切り替えるように動作指示が送られる。ドレンタンク１２４から浴槽１０８側へのドレン排出路が形成され、これにより、追焚循環路１６２には浴槽１０８から浴槽水ＢＷを循環させることができなくなる。そして、ふろポンプ１６８を動作させ、追焚循環路１６２を通してドレン１１８を浴槽１０８側に排出させる構成である。
【００５７】
この給湯・追焚装置１０２の筐体１０４内には、給湯制御や追焚処理の制御、及び後述するドレンの抑制処理等を制御する制御装置１８２が設置されている。そして、この制御装置１８２は、給湯・追焚装置１０２の筐体１０４外にある台所リモコン装置１８４（図９）や浴室リモコン装置１８６（図１０）等の外部リモコンと接続しており、設定温度の変更や給湯指令に対する制御、ドレンタンク１２４の状態や後述する運転制御の報知等の制御を行う。
【００５８】
給湯・追焚装置１０２の熱源として、給湯用燃焼室１０６側に給湯用バーナ１８８、追焚用燃焼室１１０側に追焚用バーナ１９０が設置されている。この給湯・追焚装置１０２には、燃料ガスＧがガス管１９２を通じて提供されており、元ガス電磁弁１９４及びガス比例弁１９６を介して各バーナ１８８、１９０に供給されている。そして、給湯用バーナ１８８側には、切替電磁弁１９８、２００、ガス電磁弁２０２が設置され、追焚用バーナ１９０側には、ガス電磁弁２０４が設置されて、燃料ガスＧの切替え及び調整を行う。また、各燃焼室１０６、１１０には、空気を供給するためのファン２０６、２０８がそれぞれ設置されている。
【００５９】
次に、ドレンレベルの検出手段について、図７を参照する。図７は、第３の実施の形態に係るドレンタンクを示す図である。図７において、図５と同一部分には同一の符号を付してある。
【００６０】
ドレンタンク本体２１０の内部には、溜まったドレン１１８のレベルを検出するドレンレベルセンサとして、天井側から底側に向かって長さの異なる３本の電極が設置されている。最も長い電極は、ベース電極（Ｃ）２１２であり、順に、後述するドレン抑制制御処理に移行する基準レベルＬref （図１等）として水位（Ｂ）を検出する水位センサ２１４、ドレンタンク１２４に溜めることができる限界レベルとして水位（Ｈ）を検出する水位センサ２１６が設置されている。ドレンタンク本体２１０の側面には、例えば、水位センサ２１６よりも高い位置に、中和器１２２で中和処理されたドレン１１８を流入させるドレン流入口２１８、ドレンタンク１２４内に溜まった所定レベル以上のドレン１１８を排出するオーバーフロー排出口２２０が備えられている。ドレンタンク本体２１０の底部には、追焚循環路１６２側にドレン１１８を排出させるドレン排出口２２２が形成されて、ドレン排出管路１８０に接続されている。この実施の形態では、通常運転（コンデンシング運転）からドレン抑制運転に切り替える基準レベルＬref を水位（Ｂ）に設定しているが、水位（Ｈ）を基準レベルＬref としてもよい。
【００６１】
次に、給湯・追焚装置の制御手段について、図８を参照する。図８は、制御装置を示す図である。図８において、図３と同一部分には同一の符号を付してある。
【００６２】
制御装置１８２は、マイクロコンピュータ等で構成された制御部２２４が設置されており、この制御部２２４は、例えば、各種演算を行うＣＰＵ（ Central Processing Unit）２２６や記憶部２２８、タイマ２３０等で構成されている。この記憶部２２８は、後述するドレン抑制制御処理、ドレンの排出処理や浴槽の排水を促す報知処理等に関するプログラム、各種設定値、音声による報知内容等の各種データが記憶された記憶領域であるＲＯＭ（ Read Only Memory ）２３２、各制御処理に対する作業領域として用いられるＲＡＭ（ RandomAccess Memory）２３４で構成される。その他、記憶部２２８は、不揮発性メモリであるＥＥＰＲＯＭ Electrically erasable,Programmable Read Only Memory）等で構成してもよい。また、タイマ２３０は、給湯・追焚装置１０２の各動作時間等を計測しており、時間的条件を有する動作制御に用いられる。制御部２２４には、水位センサ２１４、２１６、ふろ水位センサ１７６、ふろ流水スイッチ１７０の他、その他のセンサとして、ふろ入温度センサ１７２、ふろ出温度センサ１７４や流量センサ１３２等の検出結果が送られる。そして、制御部２２４からは、各制御処理によって、切替弁１７８、切替弁１３８、１２９、１３３、１３５、ふろポンプ１６８の他、その他の機能部品であるガス比例弁１９６、切替電磁弁１９８、２００、ガス電磁弁２０２、２０４等に動作指示を送る。
【００６３】
制御部２２４は、既述の台所リモコン装置１８４の制御部２３６、浴室リモコン装置１８６の制御部２３８と連結しており、各リモコン装置１８４、１８６に備えられているキースイッチ等の操作部２４０、２４２に入力された設定温度変更等の動作指令を受け、給湯・追焚装置１０２の各部に動作指示を送る。また、各リモコン装置１８４、１８６には、報知手段として、排水ランプ表示部２４４、２４６、音声出力手段である音声報知部２４８、２５０、映像表示等をする表示手段であるその他の表示部２５２、２５４の他、図示しない報知手段が設置されており、後述する報知処理として、制御装置１８２の制御部２２４が発した制御出力を受けた各制御部２３６、２３８は、これらの報知手段に浴槽１０８を排水状態にするように促す旨や、後述する給湯・追焚装置１０２の運転を制限する旨の報知情報を報知させる。
【００６４】
次に、給湯・追焚装置の外部リモコン装置について、図９、図１０を参照する。図９は、台所リモコン装置の一例を示す図、図１０は、浴室リモコン装置の一例を示す図である。図９及び図１０において、図５、図８と同一部分には同一符号を付してある。
【００６５】
台所リモコン装置１８４には、図９に示すように、操作部２４０として例えば、電源スイッチ２４０１、ふろ自動運転スイッチ２４０２、追焚スイッチ２４０３、給湯温度調整スイッチ２４０４、運転予約スイッチ２４０５、設定スイッチ２４０６等が備えられており、これらを操作すると、既述のように、給湯・追焚装置１０２の制御部２２４を介して各動作部に動作指示が送られる。また、排水ランプ表示部２４４、音声報知部２４８が備えられているとともに、その他の表示部２５２として、表示画面２５２１やその他の状態表示２５２２等が設置されている。以上のような構成により、ドレンタンク１２４に所定レベルのドレン１１８が溜まった場合、給湯・追焚装置１０２の使用者に対して、浴槽１０８を排水状態にさせるように促すことができる。
【００６６】
また、浴室リモコン装置１８６には、図１０に示すように、操作部２４２として例えば、電源スイッチ２４２１、ふろ自動運転スイッチ２４２２、追焚スイッチ２４２３、給湯温度調整スイッチ２４２４、運転予約スイッチ２４２５、設定スイッチ２４２６等が備えられており、これらを操作すると、既述のように、給湯・追焚装置１０２の制御部２２４を介して各動作部に動作指示が送られる。また、排水ランプ表示部２４６、音声報知部２５０が備えられているとともに、その他の表示部２５４として、表示画面２５４１やその他の状態表示２５４２等が設置されている。以上のような構成により、ドレンタンク１２４に所定レベルのドレン１１８が溜まった場合、給湯・追焚装置１０２の使用者に対して、浴槽１０８を排水状態にさせるように促すことができる。
【００６７】
次に、給湯・追焚装置の動作について、図１１を参照する。図１１は、給湯・追焚装置の動作の処理手順示すフローチャートである。
【００６８】
この処理手順は、ドレン抑制方法の一例であって、電源を投入すると、機種設定の読込みやイニシャルテスト等のイニシャライズ処理を実行し（ステップＳ１０１）、各種センサの検出値、リモコン装置１８４、１８６等からの外部指示等の読込みを行う（ステップＳ１０２）。次に、浴槽水の排水監視を行う（ステップＳ１０３）。この排水監視は、ふろ水位センサ１７６等により、浴槽１０８内の水位を監視することで行う。そして、その水位監視の結果に応じて、ドレンタンク１２４内のドレン１１８の排出処理制御（ステップＳ１０４）を実行する。ドレン１１８の排出処理制御（ステップＳ１０４）の後、給湯動作を実行するか否かの判断を行う（ステップＳ１０５）。給湯動作の実行か否かは、例えば、給湯栓の開栓状態等により判断される。
【００６９】
給湯動作が実行された場合（ステップＳ１０５のＹＥＳ）には、例えば、給水量や設定温度を制御する給湯制御を実行する（ステップＳ１０６）。給湯制御を行った後、又は給湯動作が実行されなかった場合（ステップＳ１０５のＮＯ）には、自動湯張りの実行か否かの判断に移行する（ステップＳ１０７）。自動湯張りの実行か否かは、例えば、リモコン装置１８４、１８６のふろ自動運転スイッチ２４０２、２４２２が押されたか否かにより判断する。自動湯張りが実行された場合（ステップＳ１０７のＹＥＳ）には、自動湯張り制御に移行する（ステップＳ１０８）。
【００７０】
自動湯張り制御の後、又は、自動湯張りが実行されなかった場合（ステップＳ１０７のＮＯ）には、追焚き実行か否かの判断に移行する（ステップＳ１０９）。追焚き実行か否かは、例えばリモコン装置１８４、１８６等の追焚スイッチ２４０３、２４２３が押されたか否かにより判断する。追焚きを実行する場合（ステップＳ１０９のＹＥＳ）には、ふろポンプ１６８の動作や追焚用バーナ１９０等を制御する追焚制御に移行する（ステップＳ１１０）。追焚制御を行った後、又は追焚きが実行されなかった場合（ステップＳ１０９のＮＯ）には、その他の動作を実行するか否かの判断に移行する（ステップＳ１１１）。その他の動作は、例えば、足し湯の要求があった場合等に実行される。その他の動作を実行する場合には、その他の動作制御に移行する（ステップＳ１１２）。そして、その他の動作制御を実行した後、又は、その他の動作が実行されない場合（ステップＳ１１１のＮＯ）には、ステップＳ１０２に戻る。給湯・追焚装置１０２は、以上の処理動作を繰り返し行う。
【００７１】
次に、給湯・追焚装置１０２の浴槽の排水を促す報知処理及びドレン排出処理を説明する。図１２は、給湯・追焚装置の浴槽の排水を促す報知処理及びドレン排出処理の処理手順を示すフローチャートである。
【００７２】
給湯・追焚装置１０２の浴槽１０８の排水を促す報知処理及びドレン排出処理の処理手順では、浴槽１０８が排水タイミングとなっているか否かを判断し、排水タイミングであればドレンの排出処理とともにドレン排出手段の配管洗浄処理を行い、排水タイミングでなければ、給湯・追焚装置１０２の使用者に対してドレンタンク１２４内に所定レベルまでドレン１１８が溜まったことを報知して、ドレン１１８の排出を促す。それでも排水状態とならない場合には、ドレン１１８を制御させる処理や給湯・追焚装置１０２の運転を制御させて、ドレンタンク１２４からドレン１１８が溢れるのを防止する。
【００７３】
浴槽１０８が排水タイミングか否かの判断手段として、浴槽水ＢＷの水位が所定レベル以下となっているか否かを監視する（ステップＳ１２１）。例えば、基準レベルとして、浴槽１０８内の所定位置や循環アダプタ１６４の設置高さ等を定めておき、ふろ水位センサ１７６による水位検出により、浴槽１０８内の水位が、その基準レベル以下となっているか否かを監視する。基準レベル以下の状態が所定時間Ｔ１（例えば、５分間）継続し、又は所定時間Ｔ１の経過後、さらに浴槽１０８内の水位が下がっている場合（ステップＳ１２２のＹＥＳ）であって、追焚動作がない（ステップＳ１２３のＹＥＳ）場合には、ドレン排出処理に移行する。
【００７４】
ドレン排出処理では、切替弁１７８を浴槽１０８側からドレンタンク１２４側に切り替えて、ドレンタンク１２４から追焚循環路１６２を介して浴槽１０８側にドレン１１８を排出させるドレン排出路が形成される（ステップＳ１２４）。次に、ドレン１１８を排出させる動力源であるふろポンプ１６８のスイッチをＯＮにし（ステップＳ１２５）、所定時間Ｔ２（例えば、２分間）が経過するまで運転させ（ステップＳ１２６のＹＥＳ）、所定時間経過後にふろポンプ１６８をＯＦＦにする（ステップＳ１２７）。ふろポンプ１６８をＯＦＦにしたら、切替弁１７８を再び浴槽１０８側に切り替えて（ステップＳ１２８）、ドレン１１８の排出処理を終了する。
【００７５】
ドレン排出処理が終了したら、追焚循環路１６２の配管洗浄処理に移行する。制御装置１８２からの給水指令や、ふろ水位センサ１７６の検出結果等から給湯機能が使用されているか否かを確認し（ステップＳ１２９）、給湯機能が使用されている場合には、給湯動作が終了するまで待機し（ステップＳ１２９のＮＯ）、給湯がされていない場合や給湯が終了した場合（ステップＳ１２９のＹＥＳ）には、配管洗浄手段である注湯管路１５４を通して追焚循環路１６２側に湯又は水を所定量（例えば、６リットル）だけ流す（ステップＳ１３０）。この注湯された湯は、追焚循環路１６２に付着したドレン１１８を洗い流す他、ふろポンプ１６８が次回動作するときの呼び水の役割を果たす。なお、注湯する湯又は水の量は、追焚循環路１６２の長さや、給湯・追焚装置１０２の規格等により変更可能にしてもよい。
【００７６】
浴槽１０８内の水位が、排水タイミングを示す基準レベル以下になっていない場合（ステップＳ１２１のＮＯ）には、ドレンタンク１２４内のドレン１１８がドレン抑制制御処理に移行する基準レベルＬref である水位（Ｂ）以上になっているか否かを判断する（ステップＳ１３１）。ドレン１１８が水位（Ｂ）に達していない場合（ステップＳ１３１のＮＯ）には、排水タイミングの判断（ステップＳ１２１）に戻る。ドレン１１８が水位（Ｂ）に達している場合（ステップＳ１３１のＹＥＳ）には、給湯・追焚装置１０２の使用者に排水を促すように、各リモコン装置１８４、１８６の排水ランプ表示部２４４、２４６を点滅させて視覚的に報知する（ステップＳ１３２）とともに、例えば、音声報知１として、音声報知部２４８、２５０から「ドレンタンクがもうすぐ満水になります。浴槽の排水栓を抜いてください。」との内容の音声を所定回数（例えば、２回）発する（ステップＳ１３３）。
【００７７】
報知処理を行った後、浴槽１０８が排水タイミングとなっているか否かの判断に移行する（ステップＳ１３４）。即ち、報知により、もしくは報知処理の前に排水部１６６の排水栓が抜かれて排水タイミングとなれば、ドレン抑制制御処理に移行せず、ドレン排出処理に移行する。ドレン排出処理のステップＳ１３５〜Ｓ１３９は、既述のステップＳ１２２〜Ｓ１２６に対応するので、説明を省略する。ふろポンプ１６８を動作させて、所定時間Ｔ２が経過したら（ステップＳ１３９のＹＥＳ）、ドレンタンク１２４内のドレン１１８が水位（Ｂ）以下となっているか否かを判断する（ステップＳ１４０）。水位（Ｂ）以下となっていない場合には、ふろポンプ１６８や切替弁１７８等のドレン排出手段の異常として、例えばリモコン装置１８４、１８６にエラー表示や音声による報知、給湯・追焚装置１０２の強制停止等の処理を行う。
【００７８】
ドレンタンク１２４内のドレン１１８が水位（Ｂ）以下となっている場合（ステップＳ１４０のＹＥＳ）には、排水ランプ表示部２４４、２４６等の報知処理を解除し（ステップＳ１４１）、ステップＳ１２７に移行して、ドレン排出処理を終了し、配管洗浄処理に移行する。
【００７９】
また、浴槽１０８内が排水状態となっていない場合、即ち、排水を促す報知がされたとしても排水部１６６の排水栓を抜かないでそのまま使用した場合（ステップＳ１３４のＮＯ）は、ドレン１１８の発生量を制御させるドレン抑制制御処理に移行する（ステップＳ１４２）。ドレン抑制制御処理では、切替弁１２９、１３３、１３５、１３８を切り替え、上水Ｗの流路を切り替える。つまり、通常時（コンデンシング運転）は、上水Ｗは、まず熱交換器１１４で潜熱を回収し、次いで熱交換器１１２で顕熱を回収して給湯口１４６から出湯される。切替えが行われると、まず熱交換器１１２で顕熱を回収し、露点温度以上になった上水Ｗを熱交換器１１４で熱交換を行うため、潜熱は回収されずにドレン１１８が発生しない状態（非コンデンシング運転）になる。このように潜熱を回収しない流路に切り替えることで、熱の回収率は低下するが、ドレン１１８の発生量を制限することができ、ドレンタンク１２４が満杯になるまでの時間を延ばすことが可能となり、ドレン１１８の排出間隔の制御が可能となる。
【００８０】
ドレン抑制制御処理を開始したら、ドレン１１８が、ドレンタンク１２４の限界レベルである水位（Ｈ）に達したか否かを監視する（ステップＳ１４３）。ドレン１１８が水位（Ｈ）に達しない場合（ステップＳ１４３のＮＯ）には、給湯機能を動作させているか否かを監視する（ステップＳ１４４）。給湯機能の動作監視は、例えば上水Ｗの給水量を測定する流量センサ１３２等により行う。給湯を行っていない場合（ステップＳ１４４のＮＯ）には、ドレンタンク１２４内のドレンレベルの監視（ステップＳ１４３）に戻る。給湯機能を動作させている場合（ステップＳ１４４のＹＥＳ）には、音声により、ドレン１１８がもうすぐ満水になる旨を報知する（ステップＳ１４５）。ここでは、例えば、音声報知２として、「ドレンタンクがもうすぐ満水になります。すぐに浴槽の排水栓を抜いて下さい。」との内容を所定回数例えば、２回報知する。そして、音声報知した後は、浴槽１０８が排水タイミングとなっているかを監視し（ステップＳ１４６）、排水タイミングとなっていれば（ステップＳ１４６のＹＥＳ）、ドレン排出処理に移行し、排水タイミングとなっていなければ（ステップＳ１４６のＮＯ）、ドレンタンク１２４内のドレンレベルの監視（ステップＳ１４３）に戻る。
【００８１】
ドレンタンク１２４内のドレンレベルの監視により、ドレンレベルが水位（Ｈ）以上である場合（ステップＳ１４３のＹＥＳ）には、ドレンタンク１２４が満水である旨や排水栓を抜くように促す報知情報を音声で報知する（ステップＳ１４７）。この場合、例えば、音声報知３として、「ドレンタンクが満水になりました。すぐに浴槽の排水栓を抜いてください。」との内容を所定回数例えば、５回報知する。音声報知をした後は、浴槽１０８が排水タイミングとなっているかの監視を行い（ステップＳ１４８）、排水タイミングとなっていれば（ステップＳ１４８のＹＥＳ）、ドレン排出処理に移行する。このドレン排出処理のステップＳ１４９〜Ｓ１５３は、既述のステップＳ１２２〜Ｓ１２６に対応するので、説明を省略する。ふろポンプ１６８を動作させて、所定時間Ｔ２が経過したら（ステップＳ１５３のＹＥＳ）、ドレンタンク１２４内のドレン１１８が水位（Ｈ）以下となっているか否かを判断する（ステップＳ１５４）。水位（Ｈ）以下となっていない場合には、ふろポンプ１６８や切替弁１７８等のドレン排出手段の異常として、例えばリモコン装置１８４、１８６にエラー表示や音声による報知、給湯・追焚装置１０２の強制停止等の処理を行う。
【００８２】
ドレンタンク１２４内のドレン１１８が水位（Ｈ）以下となっている場合（ステップＳ１５４のＹＥＳ）には、排水ランプ表示部２４４、２４６等の報知処理を解除し（ステップＳ１５５）、ドレン抑制制御の解除処理を行い（ステップＳ１５６）、ステップＳ１２７に移行し、所定時間経過後にふろポンプ１６８をＯＦＦにし、切替弁１７８を再び浴槽１０８側に切り替えて（ステップＳ１２８）、ドレン排出処理を終了した後、配管洗浄処理（ステップＳ１２９、ステップＳ１３０）を行う。
【００８３】
ドレンタンク１２４が限界水位（Ｈ）を越えたことを報知しても、浴槽１０８が排水タイミングとならない場合（ステップＳ１４８のＮＯ）には、所定時間Ｔ３（例えば、３０分間）が経過するまで浴槽１０８の監視を繰り返し行う（ステップＳ１５７のＮＯ）。そして、所定時間Ｔ３が経過しても排水タイミングとならない（ステップＳ１５７のＹＥＳ）場合には、音声報知により、給湯機能を使用できなくなる旨の警告が発せられる（ステップＳ１５８）。この警告は、例えば音声報知４として、「お湯が使えなくなります。すぐに浴槽の排水栓を抜いてください。」との内容が所定回数例えば、５回報知される。
【００８４】
音声報知４がされると、給湯・追焚装置１０２は、運転制御処理に移行する（ステップＳ１５９）。運転制御処理では、給湯・追焚装置１０２の運転によりドレン１１８が発生するのを防止させるため、給湯・追焚装置１０２の熱交換動作を停止させる。この運転制御処理では、全ての熱交換を停止させる他、ドレン１１８の発生がほとんど無い追焚機能は使用できる構成としてもよい。また、この運転制御処理では、例えば、給湯用バーナ１８８側への燃料ガスＧの供給を遮断するため、切替電磁弁１９８、２００やガス電磁弁２０２を閉じるように制御したり、給水量とバーナの燃焼量とを連動させて、給水を遮断することでバーナの燃焼を停止させるようにしてもよい。斯かる処理により、ドレンタンク１２４に溜まったドレン１１８のレベルに応じて、使用者にドレン１１８の排出を促す報知をするとともに、ドレン抑制制御や運転制御を行うことで、ドレンの排出の適正化を図り、且つ浴槽水へのドレン混入を防止することが可能となる。
【００８５】
なお、上記の音声報知時の報知回数や報知内容は例示であり、給湯・追焚装置１０２の給湯量やドレン１１８の発生量に応じて変更してもよく、また、使用者により報知回数を設定可能にしたり、所定の操作をするまで報知し続けるような構成にしてもよい。音声報知１〜４の切替えは、例えば図１２に示すドレン排出処理手順のステップ数等に応じて、制御装置１８２又は各リモコン装置１８４、１８６の制御部２３６、２３８等の記憶領域に記憶された音声報知データ１〜４を切り替えるようにしてもよい。また、上記の報知処理では、言語による報知を行っているが、これに限られるものではなく、例えば、音声報知１〜４に対応して警告音を切り替える構成としてもよい。
【００８６】
また、配管洗浄処理（ステップＳ１２９、Ｓ１３０）の処理について、図１３及び図１４を参照する。図１３は、給湯・追焚装置の配管洗浄処理の処理手順を示すフローチャート、図１４は、ふろ配管洗浄のタイムチャートである。
【００８７】
ドレン１１８の排出処理の後、浴槽１０８や追焚循環路１６２が使用されていないことを確認するため、ふろ自動運転が終了しているか否かを確認する（ステップＳ２０１）。例えば、リモコン装置１８４、１８６のふろ自動運転スイッチ２４０２、２４２２が押されているか否かにより判断する。この確認は、ふろ自動運転が終了するまで繰り返し行われる（ステップＳ２０１のＮＯ）。ふろ自動運転が終了している（ステップＳ２０１のＹＥＳ）場合には、浴槽１０８や追焚循環路１６２等を使用する他の動作が行われていないか（ステップＳ２０２）、各部のエラーがないか（ステップＳ２０３）、浴槽１０８に水がないか（ステップＳ２０４）の確認が行われ、配管洗浄の開始条件に適合しない場合（ステップＳ２０２、Ｓ２０３、Ｓ２０４の何れか１つでもＮＯ）には、それが解消されるまで確認が行われる。なお、浴槽１０８に水があるか否かは、例えば、排水部１６６の排水栓を抜いたときに浴槽１０８内の水位が下がるのをふろ水位センサ１７６で監視し、既述の基準レベル以下になったときに浴槽１０８に水が無くなったものと判断するようにしてもよい。
【００８８】
他の動作やエラーが無く、浴槽１０８に水なしと判断した場合（ステップＳ２０２のＹＥＳ、ステップＳ２０３のＹＥＳ、ステップＳ２０４のＹＥＳ）には、所定時間Ｔ４（例えば、配管洗浄の回数が１回目は３分間、２回目は５分間）が経過するまで待機し（ステップＳ２０５）、所定時間Ｔ４の経過後にふろポンプ１６８を駆動させる（ステップＳ２０６）。そして、他の動作が行われていないか、エラーがないかの確認を行い（ステップＳ２０７、Ｓ２０８）、他の動作やエラーが無ければ（ステップＳ２０７のＹＥＳ、Ｓ２０８のＹＥＳ）、所定時間Ｔ５（例えば１分間）が経過したか否かの判断を行う（ステップＳ２０９）。所定時間Ｔ５が経過していない場合（ステップＳ２０９のＮＯ）には、ステップＳ２０６に戻り、他の動作やエラーの確認（ステップＳ２０７、Ｓ２０８）に移行する。所定時間Ｔ５が経過した場合には、ふろポンプ１６８をＯＦＦし（ステップＳ２１０）、浴槽１０８に水が無いか否かの判断を行う（ステップＳ２１１）。浴槽１０８内に水がある場合（ステップＳ２１１のＮＯ）には、ステップＳ２０５からＳ２１０までの処理を所定回数Ｎとして例えば、２回行ったか否かの判断を行う（ステップＳ２１２）。処理回数のカウントは、例えば、制御部２２４のタイマ２３０や記憶部２２８等で行うようにしてもよい。
【００８９】
所定回数Ｎの処理を行っていなければ（ステップＳ２１２のＮＯ）、ステップＳ２０５の処理に移行する。この場合、前回の所定時間Ｔ４を変更するようにしてもよい（例えば、２回目は５分）。また、所定回数Ｎの処理を行っていれば（ステップＳ２１２のＹＥＳ）、浴槽１０８内に水が残っていることから（ステップＳ２１１のＮＯ）、浴槽１０８が排水状態となっていないと判断でき、配管洗浄処理を終了する。
【００９０】
浴槽１０８内に水が無いと判断できる場合（ステップＳ２１１のＹＥＳ）には、給湯・追焚装置１０２で他の動作が行われていないかの判断を行い（ステップＳ２１３）、給湯の同時使用がないかの判断を行い（ステップＳ２１４）、何れの動作も無い場合（ステップＳ２１３のＹＥＳ、Ｓ２１４のＹＥＳ）には、注湯管路１５４を通じて湯ＨＷを追焚循環路１６２に所定量（例えば、６リットル）だけ流す（ステップＳ２１５）。注湯動作を行ったら、各部のエラーチェックを行い（ステップＳ２１６）、エラーが無ければ（ステップＳ２１６のＹＥＳ）、注湯が終了したか否かの判断を行う（ステップＳ２１７）。注湯が終了していれば（ステップＳ２１７のＹＥＳ）、配管洗浄処理は終了となり、注湯が終了していなければ（ステップＳ２１７のＮＯ）、ステップＳ２１３に戻って、注湯が終了するまで上記の処理を繰り返す。
【００９１】
以上の配管洗浄処理に対し、給湯・追焚装置１０２の各部の処理動作のタイミングは、図１４に示す通りである。このタイムチャートでは、給湯・追焚装置１０２の運転スイッチ（Ａ）、表示画面２５２１、２５４１等の時計表示（Ｂ）、給湯燃焼表示（Ｃ）、ふろ自動運転スイッチ２４０２、２４２２（Ｄ）、注湯電磁弁１５６の動作（Ｅ）、二方弁（Ｆ）、給湯制御弁１５０（Ｇ）、ふろポンプ１６８（Ｈ）、ふろ流水スイッチ１７０（Ｉ）、流量センサ１３２、注湯量センサ１５８、ふろ水位センサ１７６（Ｊ）の処理動作について示している。また、処理のタイミングとして、Ｔ８０は水位取込み禁止タイム、Ｔ８１は残湯確認遅延タイム、Ｔ８２は残湯確認タイム、Ｔ１００はセンサチェックタイムを示す。
【００９２】
次に、給湯制御（図１１のステップＳ１０６、Ｓ１０８）について、図１５を参照する。図１５は、給湯制御の処理手順を示すフローチャートである。
【００９３】
この処理手順は、熱交換器１１２、１１４により上水Ｗを加熱供給する制御の処理手順であって、既述の処理手順（図１１）のステップＳ１０６、Ｓ１０８等の処理手順の詳細である。
【００９４】
この処理手順では、ステップＳ１０６（図１１）の場合には蛇口等の開放により、ステップＳ１０８（自動湯張り：図１１）の場合には、注湯電磁弁１５６の開放により発生する上水Ｗの通水を流量センサ１３２により検出する（Ｓ３０１）。この場合、燃焼を行う最低流量以上であれば（ステップＳ３０１のＹＥＳ）、燃焼中であったか否かを判断する（Ｓ３０２）。燃焼していなければ（ステップＳ３０２のＮＯ）、給水温度センサ１３４で測定される給水温度、流量センサ１３２により検出される流量より、混合温センサ１５２で測定される給湯温度が所定の設定温度になるように予め記億されたガス量、送風量にて燃焼を開始する、即ち、コールドスタートとなる（ステップＳ３０５）。但し、その前の燃焼停止からの経過時間が短いときは（ステップＳ３０３のＹＥＳ）、熱交換器等に存在する上水Ｗが温められているため、その状態を考慮したガス量、送風量にて燃焼を開始する、即ち、ホットスタートとなる（ステップＳ３０４）。
【００９５】
燃焼継続中であれば（ステップＳ３０２のＹＥＳ）、上水Ｗとのミキシング前の温度である出湯温センサ１４８の検出温度が所定温度になるよう、ガス量、送風量の調整を行い、燃焼量の増減を行う（ステップＳ３０６〜Ｓ３０９）。混合温センサ１５２で測定される給湯温度が所定の設定温度になるようにするための調整は、バイパス水制御弁１４２の開閉を行うことにより加熱された上水Ｗと加熱されていない上水Ｗとのミキシング量を制御することにより行う（ステップＳ３１０、Ｓ３１１）。そして、流量が最低流量を下回る場合（ステップＳ３０１のＮＯ）、燃焼中であれば、燃焼停止動作を行う（ステップＳ３１２、Ｓ３１３）。
【００９６】
次に、ドレン抑制制御について、図１６を参照する。図１６は、ドレン抑制制御の処理手順を示すフローチャートである。
【００９７】
このドレン抑制制御の処理手順は、既述のステップＳ１４２（図１２）の処理の詳細であって、ステップＳ４０１〜Ｓ４０３の通り、回路を給水口１３０→熱交換器１１２→熱交換器１１４→給湯口１４６となるように切替弁１２９、１３３、１３５、１３８を切り替える。この結果、熱交換器１１２で加熱された上水Ｗが熱交換器１１４に流れるため、熱交換器１１４による潜熱回収は行われず、従ってドレン１１８の発生を抑制することができる。
【００９８】
次に、ドレン抑制制御解除について、図１７を参照する。図１７は、ドレン抑制制御解除の処理手順を示すフローチャートである。
【００９９】
このドレン抑制制御解除の処理手順は、既述のステップＳ１５６（図１２）の処理の詳細であって、ステップＳ４１１〜Ｓ４１３の通り、回路を給水口１３０→熱交換器１１４→熱交換器１１２→給湯口１４６となるように切替弁１２９、１３３、１３５、１３８を切り替える。この結果、温度の低い上水Ｗが熱交換器１１４に流れるため、熱交換器１１４において潜熱回収ができる。
【０１００】
ここで、既述の給湯制御に用いた各種センサ類は、熱交換器１１２、１１４に対し、位置関係は変化していない。つまり、流路切替えが発生しても、給湯制御自体は、同じ制御を行う。
【０１０１】
そして、ドレン抑制制御又はドレン抑制制御解除は、給湯制御が行われている際にも発生する。給湯制御中にドレン抑制制御が発生した場合は、以下の通りである。
【０１０２】
流路切替えを行う際、切替弁１２９、１３３、１３５、１３８は同時に切り替える。これらの切替えは瞬時ではなく、１０秒ほどの時間を要する。その際、元の流路は徐々に狭まり、一旦閉状態になった後、新しい流路が徐々に開かれる。従って、熱交換器１１２、１１４を流れる上水Ｗの量は、徐々に減っていき、一旦流れなくなった後、徐々に増えて切替えを終了する。なお、一次バイパス管路１４０の流量はバイパス水制御弁１４２で制御される。このとき、給湯制御は、流量が減ると、そのままの燃焼量では混合温センサ１５２の温度が上昇するため、燃焼量を減少させる（ステップＳ３０７：図１５）。ステップＳ３１０〜Ｓ３１１の処理では、加熱された上水量が少ないため、設定温度を維持するために、それに合わせるようにバイパス水制御弁１４２を絞る。この結果、流量センサ１３２で検出される流量も徐々に減少する。
【０１０３】
熱交換器１１２及び熱交換器１１４に一旦上水が流れない状態になると、バイパス水制御弁１４２もほぼ閉じた状態になり、流量センサ１３２にて検出される流量が最低流量を下回るようになり（ステップＳ３０１のＮＯ）、燃焼が停止する。
【０１０４】
その後、新しい流路が徐々に開き、流量センサ１３２が検出する流量が最低流量より多くなると燃焼を開始する。この場合、燃焼停止後、僅かな時間しか経過していない場合にはホットスタート（ステップＳ３０４：図１５）が実行される。新しい流路が徐々に開くことにより流量が増加すると、そのままの燃焼量では混合温センサ１５２の温度が下降するため、燃焼量を増やす（ステップＳ３０９：図１５）。ステップＳ３１０、Ｓ３１１の処理では、加熱された上水量が増えてくるため、設定温度を維持するために、それに合わせるようにバイパス水制御弁１４２を開く。
【０１０５】
〔第４の実施の形態〕
【０１０６】
次に、本発明の第４の実施の形態について、図１８、図１９を参照する。図１８は、第４の実施の形態に係る給湯・追焚装置（コンデンシング運転）を示す図、図１９は、第４の実施の形態に係る給湯・追焚装置（非コンデンシング運転）を示す図である。
【０１０７】
この実施の形態では、第３の実施の形態に係る給湯・追焚装置においてドレン抑制制御処理で流路を切り替える切替弁１２９、１３３、１３５を廃止し、代わりに切替弁１２７を追加して、流路の切替えを行うものである。なお、給湯・追焚装置の動作を示すフローチャートは、共通である。
【０１０８】
斯かる処理により、追焚循環路１６２や浴槽１０８にドレン１１８が残留するのを防止でき、次回の浴槽１０８の利用時に、ドレン１１８が混入するのを防止することができる。なお、図１８、図１９において、図５、図６と同一部分には同一符号を付し、その説明を省略する。
【０１０９】
〔他の実施の形態、特徴事項等〕
【０１１０】
(1) 第１の実施の形態〜第４の実施の形態で述べた通り、高効率給湯器の回路に加え、給水口、給湯口に変更を加えることなく、入出回路を反対方向に変更できる回路及び温度センサを備えている。通常の給湯動作では、燃焼排気の下流側に設置された熱交換器で加熱した上水を燃焼排気の上流側の熱交換器に流路を設定して高効率運転（コンデンシング運転）をするのに対し、非コンデンシング運転では、上流側の熱交換器で加熱した上水即ち、高温水を下流側の熱交換器に流路を変更して加熱する給湯器を構成している。非コンデンシング運転では、下流側の熱交換器に高温水が流れるので、潜熱回収によるドレンの発生を抑制できる。
【０１１１】
(2) 従来回路では、流路が一方向であるため、高効率給湯器では、常に潜熱回収が行われ、ドレン発生が顕著であった。これに対し、二次熱交換器にバイパス流路を付加することにより、バイパス流路を閉にして二次熱交換器の流れを止めてドレン発生を抑制すれば、ドレン発生を低減できるものの、局部沸騰を生じるという問題点があった。また、バイパス流路を僅かに開とすれば、沸騰音は解消できるものの、冷水が流れるため、ドレンを抑制できないという問題点があった。このような問題点は、上記実施の形態における高効率給湯器や給湯・追焚装置によって解決された。
【０１１２】
(3) ドレン発生を抑制するために流路を変更し、燃焼排気の上流側に設置された熱交換器に上水を流し、その上水の水温を上昇させた後、それを燃焼排気の下流側の熱交換器に流すことにより、露点温度より高い水温で下流側の熱交換器を通過させる。斯かる構成では、効率低下を来すが、ドレン発生はない。また、斯かる流路は、ドレン発生を抑制する一時的な手段であり、ドレン排出を完了すれば、再び高効率運転に切り替えることができる。このような高効率運転とドレン抑制運転とを交互に行う給湯制御では、効率が一時的に低下しても、一定期間でのトータル効率では非コンデンシング運転の影響は低く、高効率運転とドレン抑制運転との双方切替え運転の利便性に加え、環境負荷への影響を軽減できる利点がある。
【０１１３】
以上述べたように、本発明の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１１４】
本発明は、燃焼排気の潜熱を熱交換する熱交換器を備え、特に、既存の循環路や浴槽を用いて浴槽の排水に合わせてドレンを排出させる熱源装置のドレン処理に関し、浴槽が排水状態とならない場合には、排水を促す報知をし、それでも排水状態にならない場合には、ドレンの生成停止や運転制御を行うことで、ドレンの排出処理を適正化し、また、ドレンが浴槽水に混入するのを防止でき、有用である。
【符号の説明】
【０１１５】
２  高効率給湯器
４  燃焼室
６  バーナ
８  給気
１０  燃焼排気
１２、１４  熱交換器
１６  ドレン
１８  ドレン受け
２０  管路
２２、２４、２６、２８  切替弁
３０  バイパス回路
３２  ドレンタンク
３４  ドレン管路
１０２  給湯・追焚装置
１０６  給湯用燃焼室
１０８  浴槽
１１２、１１４  熱交換器
１１６  追焚用熱交換器
１１８  ドレン
１２３  温度センサ
１２８  給水管路
１２９、１３４、１３５、１３８  切替弁
１３０  給水口
１３１  流路
１３２  流量センサ
１３３  給水温度センサ
１４０  一次バイパス管路
１４２  バイパス水制御弁
１４４  給湯管路
１４６  給湯口
１４８  出湯温センサ
１５０  給湯制御弁
１５２  混合温センサ
１５４  注湯管路
１５６  注湯電磁弁
１５８  注湯量センサ
１６０  逆止弁
１６２  追焚循環路
１６４  循環アダプタ
１６６  排水部
１６８  ふろポンプ
１７０  ふろ流水スイッチ
１７２  ふろ入温度センサ
１７４  ふろ出温度センサ
１７６  ふろ水位センサ
１７８  切替弁
１８０  ドレン排出管路
１８１  逆止弁
１８２  制御装置
１８４  台所リモコン装置
１８６  浴室リモコン装置
１８８  給湯用バーナ
１９０  追焚用バーナ
１９２  ガス管
１９４  元ガス電磁弁
１９８、２００  切替電磁弁
２０２  ガス電磁弁
２０４  ガス電磁弁
２０６、２０８  ファン
２１０  ドレンタンク本体
２１２  ベース電極（Ｃ）
２１４  水位センサ（水位Ｂ）
２１６  水位センサ（水位Ｈ）
２１８  ドレン流入口
２２０  オーバーフロー排出口
２２２  ドレン排出口
２２４  制御部
２２６  ＣＰＵ
２２８  記憶部
２３０  タイマ
２３６  制御部
２３８  制御部
２４０、２４２  操作部
２４４、２４６  排水ランプ表示部
２４８、２５０  音声報知部
２５２、２２４  表示部
２４０１  電源スイッチ
２４０２  ふろ自動運転スイッチ
２４０３  追焚スイッチ
２４０４  給湯温度調整スイッチ
２４０５  運転予約スイッチ
２４０６  設定スイッチ
２４２１  電源スイッチ  
２４２２  ふろ自動運転スイッチ
２４２３  追焚スイッチ
２４２４  給湯温度調整スイッチ
２４２５  運転予約スイッチ
２４２６  設定スイッチ
２５２１  表示画面
２５２２  その他の状態表示
２５４１  表示画面
２５４２  その他の状態表示
【図１】
2010249395.tif 000003
【図２】
2010249395.tif 000004
【図３】
2010249395.tif 000005
【図４】
2010249395.tif 000006
【図５】
2010249395.tif 000007
【図６】
2010249395.tif 000008
【図７】
2010249395.tif 000009
【図８】
2010249395.tif 000010
【図９】
2010249395.tif 000011
【図１０】
2010249395.tif 000012
【図１１】
2010249395.tif 000013
【図１２】
2010249395.tif 000014
【図１３】
2010249395.tif 000015
【図１４】
2010249395.tif 000016
【図１５】
2010249395.tif 000017
【図１６】
2010249395.tif 000018
【図１７】
2010249395.tif 000019
【図１８】
2010249395.tif 000020
【図１９】
2010249395.tif 000021